(57)【特許請求の範囲】
【請求項１】
アンテナと、アンテナで受信した信号を処理する受信部と、送信すべき信号を処理してアンテナに出力する送信部と、上記受信部および送信部に対して、処理信号のミックスダウンまたはミックスアップのためのローカル発振信号を送出するローカル発振部を有し、
上記ローカル発振部が、通信チャンネル用の第一のローカル発振周波数の第一の信号を出力する第一の発振部と、高速ハンドオーバー動作時の周辺基地局検索のための制御チャンネル用の第二のローカル発振周波数の第二の信号を出力する第二の発振部と、これらの第一の信号または第二の信号を選択的に出力する第一の切替スイッチと、上記第一の発振部および上記第一の切替スイッチの間に接続された第一の出力負荷調整器および第一のバッファアンプと、上記第二の発振部および上記第一の切替スイッチの間に接続された第二の出力負荷調整器および第二のバッファアンプとを有する、高速ハンドオーバー式ＰＨＳ端末において、
上記ローカル発振部が、上記第一の発振部の出力を上記第一の出力負荷調整器側または上記第一の切替スイッチの下流側に選択的に接続する第二の切替スイッチをさらに有し、
この第二の切替スイッチが、高速ハンドオーバー動作時以外には、上記第一の切替スイッチの下流側に切替えられる
ことを特徴とする高速ハンドオーバー式ＰＨＳ端末。
【請求項２】
上記出力負荷調整器が、アッテネータであることを特徴とする請求項１に記載の高速ハンドオーバー式ＰＨＳ端末。
【請求項３】
上記出力負荷調整器が、アイソレータであることを特徴とする請求項１に記載の高速ハンドオーバー式ＰＨＳ端末。
【請求項４】
上記第一のバッファアンプ及び上記第二のバッファアンプが、高速ハンドオーバー動作時以外には、非動作状態にあることを特徴とする請求項１〜３のいずれかに記載の高速ハンドオーバー式ＰＨＳ端末。
【発明の詳細な説明】
【０００１】
【発明の属する技術分野】
本発明は、パーソナルハンディホンシステム（以下、ＰＨＳという）を構成し、公衆網に接続された複数の基地局のうちの一つと無線回線を介して通信を行なう簡易型携帯電話端末（以下、ＰＨＳ端末という）に関し、特に高速ハンドオーバー式のＰＨＳ端末に関する。
【０００２】
【従来の技術】
従来、ＰＨＳの代表的なサービス機能の一つとして、公衆網内のある基地局と通信中のＰＨＳ端末において、上記基地局から無線受信レベル劣化または受信品質劣化等の検出に基づいて送られてくる所定の制御情報信号を受信することにより、現在通信中の基地局から他の基地局に接続し直す再接続（ハンドオーバー）処理機能が知られている。
そして、このハンドオーバー処理を高速で行なうようにした高速ハンドオーバー処理機能を搭載したＰＨＳ端末が増えてきている。
【０００３】
このような高速ハンドオーバー式ＰＨＳにおいては、図４に示すように、ＰＨＳの送受信信号が、５ｍ秒を８分割したスロットから構成されており、受信（ＲＸ）および送信（ＴＸ）について、それぞれ４スロットづつ割り当てられている。
そして、時間的に順次に四つの送信スロットＴＸ１，ＴＸ２，ＴＸ３，ＴＸ４と四つの受信スロットＲＸ１，ＲＸ２，ＲＸ３，ＲＸ４が並んでいる。
ここで、通常通話時には、第一の送信スロットＴＸ１および第一の受信スロットＲＸ１が通話のために使用される。
【０００４】
これに対して、高速ハンドオーバー動作時には、受信スロットにおいて、通話中のＲＸ１以外の三つのスロットＲＸ２〜ＲＸ４にて、周辺基地局（以下、ＣＳという）検索が行なわれる。
ここで、周辺ＣＳ検索動作への移行条件は、受信スロットＲＸ１における通話チャンネルの電界レベルが一定値以下の弱電界になることである。そして、弱電界であると判断されると、周辺のＣＳを検索して、最も高い電界レベルのＣＳに移行するようになっている。
【０００５】
尚、上記チャンネルは、周波数を示しており、通話に与えられる周波数すなわち通話チャンネル（第一の発振部からのローカル周波数ｆ１−１）と、周辺ＣＳ検索に与えられる周波数すなわち制御チャンネル（第二の発振部からのローカル周波数ｆ１−２）は、それぞれ異なっている。図示の場合、通話チャンネルは、５０ｃｈであり、制御チャンネルは、７０ｃｈである。
【０００６】
図５は、従来のＰＨＳ端末における二段階のローカル発振部のうち、主たるローカル発振部の構成例を示している。
図５において、ローカル発振部１００は、通話チャンネル用の所定周波数ｆ１−１の信号を発生する第一の発振部１０２，第一のアッテネータ１０３，第一のバッファアンプ１０４と、制御チャンネル用の所定周波数ｆ１−２の信号を発生する第二の発振部１０５，第二のアッテネータ１０６，第二のバッファアンプ１０７と、第一のバッファアンプ１０４および第二のバッファアンプ１０７を切替える第二の切替スイッチ１０８と、から構成されている。
上記ローカル発振部１００においては、各バッファアンプ１０４，１０７および第二の切替スイッチ１０８は、制御信号ＬＯＳＷ１，ＬＯＳＷ２に基づいて、オンオフ制御される。
【０００７】
上記第一および第二の発振部１０２，１０５は、種々のチャンネルの受信・送信を行なうことができるように、例えばＰＬＬ−ＩＣが使用されている。
上記アッテネータ１０３，１０６は、上記第一および第二の発振部１０２，１０５の出力負荷を一定にして、その周波数変動を抑制するために使用される。
これにより、第二の切替スイッチ１０８の切替が行なわれたとき、第一および第二の発振部１０２，１０５は、アッテネータ１０３，１０６を介してバッファアンプ１０４，１０７に接続されていることにより、無負荷からいきなり最大負荷が加わるようなことがない。したがって、第一および第二の発振部１０２，１０５の周波数変動が低減される。
【０００８】
このような構成のローカル発振部１００を備えたＰＨＳ端末は、以下のように動作する。
まず、通常通話時には、ＰＨＳ端末の全体動作は、送信スロットＴＸ１および受信スロットＲＸ１にて、それぞれ通話チャンネル（例えば５０ｃｈ）で送信および受信を行なう。
送信の場合には、送信すべきデータがローカル発振部１００からのローカル発振信号（周波数ｆ１−１）とミックスアップされ、送信される。
また、受信の場合には、アンテナで受信した電波は、ローカル発振部１００からのローカル発振信号（周波数ｆ１−１）とミックスダウンされ、データ復調されて、音声として復元される。
【０００９】
ここで、通常動作時には、図６に示すように、送信スロットＴＸ１および受信スロットＲＸ１にて、ローカル制御信号ＬＯＳＷ１がＨレベルとなって、第一の発振部１０２からの周波数ｆ１−１の信号が出力される。
その際、第一の発振部１０２は、安定化のため、１スロット分前から動作開始し、すなわち送信時には、受信スロットＲＸ４と送信スロットＴＸ１で動作し、また受信時には、送信スロットＴＸ４と受信スロットＲＸ１で動作することにより、ローカル周波数ｆ１−１が安定した状態で、送信または受信を行なうことができる。
【００１０】
これに対して、ＰＨＳ端末は、受信スロットＲＸ１において弱電界になると、高速ハンドオーバー動作を行なう。
この場合、ＰＨＳ端末の全体動作は、送信スロットＴＸ１および受信スロットＲＸ１にて、それぞれ通話チャンネルで送信および受信を行なうと共に、受信スロットＲＸ２〜ＲＸ４にて、制御チャンネル（例えば７０ｃｈ）で、周辺ＣＳ検索を行なう。
【００１１】
この場合、制御信号ＬＯＳＷ１は、通常通話時と同じであり、第一の発振部１０２も同様に１スロット分前から動作開始して、ローカル発振部１は、送信スロットＴＸ１および受信スロットＲＸ１にて、ローカル周波数ｆ１−１の信号を出力する。
さらに、この場合、制御信号ＬＯＳＷ２は、受信スロットＲＸ２〜ＲＸ４にて、Ｈレベルとなって、第二の発振部１０５からの周波数ｆ１−２の信号が出力される。
その際、第二の発振部１０５は、安定化のため、１スロット分前から動作開始し、すなわち受信スロットＲＸ１〜ＲＸ４で動作することにより、ローカル周波数ｆ１−２が安定した状態で、送信または受信を行なうことができる。
このようにして、第一の発振部１０２，第二の発振部１０５により、それぞれ周波数ｆ１−１，ｆ１−２の信号を出力するように構成することによって、周波数の安定した状態で各信号を出力することができる。
【００１２】
このようにして、ＰＨＳ端末の送信信号または受信信号を、ローカル発振部１からのローカル発振信号でミックスアップまたはミックスダウンすることにより、例えば受信信号については、ミックスダウンにより差分周波数を取り出して、周波数変換により低い周波数に変換し、より復調しやすい信号に加工し、また送信信号については、ミックスアップにより、より高い周波数に変換して、送信しやすい信号に加工するようにしている。
【００１３】
【発明が解決しようとする課題】
しかしながら、このような高速ハンドオーバー処理機能を搭載したＰＨＳ端末は、ローカル発振部１００にて、各発振部１０２，１０５からの信号をアッテネータ１０３，１０６で約２０ｄＢ減衰した後、バッファアンプ１０４，１０７で約２０ｄＢ増幅していることから、消費電流が多くなり、特に高速ハンドオーバー時以外の通常の通信時においても消費電流が増大してしまう。
例えば、通常通話時に、バッファアンプ１０４，１０７の消費電流を２０ｍＡとすると、平均して５ｍＡだけ通話電流が増大することになる。
このため、ＰＨＳ端末に装着された充電電池の電力が無駄に消費されることになり、充電電池によるＰＨＳ端末の使用時間が無用に短くなってしまう。
【００１４】
本発明は、上記の問題を解決すべくなされたものであり、通常通信時の消費電流を低減するようにした、高速ハンドオーバー式ＰＨＳ端末の提供を目的とする。
【００１５】
【課題を解決するための手段】
この目的を達成するため、本発明の請求項１記載のＰＨＳ端末は、アンテナと、アンテナで受信した信号を処理する受信部と、送信すべき信号を処理してアンテナに出力する送信部と、上記受信部および送信部に対して、処理信号のミックスダウンまたはミックスアップのためのローカル発振信号を送出するローカル発振部を有し、上記ローカル発振部が、通信チャンネル用の第一のローカル発振周波数の第一の信号を出力する第一の発振部と、高速ハンドオーバー動作時の周辺ＣＳ（基地局）検索のための制御チャンネル用の第二のローカル発振周波数の第二の信号を出力する第二の発振部と、これらの第一の信号または第二の信号を選択的に出力する第一の切替スイッチと、上記第一の発振部および上記第一の切替スイッチの間に接続された第一の出力負荷調整器および第一のバッファアンプと、上記第二の発振部および上記第一の切替スイッチの間に接続された第二の出力負荷調整器および第二のバッファアンプとを有する、高速ハンドオーバー式ＰＨＳ端末において、上記ローカル発振部が、上記第一の発振部の出力を上記第一の出力負荷調整器側または上記第一の切替スイッチの下流側に選択的に接続する第二の切替スイッチをさらに有し、この第二の切替スイッチが、高速ハンドオーバー動作時以外には、上記第一の切替スイッチの下流側に切替えられる構成としてある。
【００１６】
ＰＨＳ端末をこのような構成とすると、高速ハンドオーバー動作時には、通信に割り当てられる受信スロットおよび送信スロットにて、第一の切替スイッチが第一の発振部側に切り替えられ、第二の切替スイッチが出力調整負荷器側に切り替えられる。これにより、第一の発振部からの第一の信号は、出力負荷調整器およびバッファアンプを介して、受信部および送信部に対して出力されるので、第一の発振部の出力負荷が一定に保持され、周波数の安定した第一の信号によって、受信部および送信部で処理信号のミックスダウンおよびミックスアップを行なうことができる。
【００１７】
また、高速ハンドオーバー動作時の他の受信スロットにて、周辺ＣＳ検索の際には、第一の切替スイッチが第二の発振部側に切り替えられ、第二の発振部からの第二の信号は、出力負荷調整器およびバッファアンプを介して、受信部に対して出力されるので、第二の発振部の出力負荷が一定に保持され、周波数の安定した第二の信号によって、受信部で処理信号のミックスダウンを行なうことができる。
【００１８】
これに対して、高速ハンドオーバー動作時以外の通常通信時には、第二の切替スイッチが第一の切替スイッチの下流側に切替えられるので、第一の発振部からの第一の信号は、出力負荷調整器およびバッファアンプを介さずに、直接に受信部および送信部に対して出力される。
このようにして、高速ハンドオーバー式ＰＨＳ端末において、高速ハンドオーバー動作時には、従来の高速ハンドオーバー式ＰＨＳ端末と同様に作用すると共に、高速ハンドオーバー動作時以外の通常通信時には、第一の発振部からの第一の信号が、バッファアンプを使用することなく、直接に受信部および送信部に対して出力されるので、バッファアンプの消費電流を低減することができ、ＰＨＳ端末の低消費電力化を実現することができる。
【００１９】
請求項２記載のＰＨＳ端末は、上記出力負荷調整器が、アッテネータである構成としてある。
また、請求項３記載のＰＨＳ端末は、上記出力負荷調整器が、アイソレータである構成としてある。
【００２０】
ＰＨＳ端末をこのような構成とすると、第一の発振部の出力が、出力負荷調整器としてのアッテネータまたはアイソレータに接続されることにより、出力負荷が一定に保持されるので、周波数の安定した第一の信号を出力することができる。
【００２１】
また、請求項４記載のＰＨＳ端末は、上記第一のバッファアンプ及び上記第二のバッファアンプが、高速ハンドオーバー動作時以外には、非動作状態にある構成としてある。
ＰＨＳ端末をこのような構成とすると、高速ハンドオーバー動作時以外の通常通信時には、第一の発振部からの第一の信号は、直接に受信部または送信部に出力されるので、信号が入力されないバッファアンプを非動作状態にすることによって、バッファアンプの消費電流をゼロにすることができ、ＰＨＳ端末のより一層の低消費電力化を実現することができる。
【００２４】
【発明の実施の形態】
以下、本発明の実施の形態について、図面を参照して説明する。
【００２５】
まず、本発明のＰＨＳ端末の一実施形態について、図１〜図３を参照して説明する。
図１は、本発明によるＰＨＳ端末の全体の構成を示すブロック図である。
【００２６】
図１において、ＰＨＳ端末１０は、アンテナ１１と、受信部２０と、送信部３０と、変復調部４０と、制御部５０と、第一のローカル発振部６０と、第二のローカル発振部７０と、から構成されている。
【００２７】
上記アンテナ１１は、ＰＨＳの基地局からの電波を受信すると共に、上記基地局に対して電波を送信するものであり、第一のバンドパスフィルタ１２を介して、送受信切替スイッチ１３に接続されている。
この送受信切替スイッチ１３は、アンテナ１１を受信部２０と送信部３０とに選択的に接続するものであり、共通接点がアンテナ１１に接続されると共に、二つの切替接点が、それぞれ受信部２０および送信部３０側に接続されている。
そして、送受信切替スイッチ１３は、図示しない制御信号に基づいて、受信スロットでは受信側に、また送信スロットでは送信側に切替制御される。
【００２８】
上記受信部２０は、第一のアンプ２１，第一の混合回路２２，第二のバンドパスフィルタ２３，第二の混合回路２４，第三のバンドパスフィルタ２５から構成されている。
第一のアンプ２１は、その入力側が上記送受信切替スイッチ１３の受信側の切替接点に接続されており、アンテナ１１からの受信信号を増幅する。
【００２９】
第一の混合回路２２は、第一のアンプ２１からの増幅信号と、第一のローカル発振部６０からのローカル発振信号とをミックスダウンする、すなわち双方の差分周波数を取り出す。
第二のバンドパスフィルタ２３は、第一の混合回路２２でミックスダウンされた信号のうち、余分な周波数成分を取除き、所定周波数幅のみを透過させる。
【００３０】
第二の混合回路２４は、第二のバンドパスフィルタ２３からの信号と、第二のローカル発振部７０からのローカル発振信号とをミックスダウンする。
第三のバンドパスフィルタ２５は、第二の混合回路２４でミックスダウンされた信号のうち、所定周波数幅のみを透過させる。
【００３１】
これに対して、上記送信部３０は、第三の混合回路３１，第四の混合回路３２，加算器３３，第四のバンドパスフィルタ３４，第五の混合回路３５，第五のバンドパスフィルタ３６，第二のアンプ３７から構成されている。
【００３２】
上記第三の混合回路３１および第四の混合回路３２は、それぞれ変復調回路４０で変調された送信信号のうちＩ信号およびＱ信号を、第二のローカル発振部７０からのローカル発振信号とミックスアップする、すなわち双方の信号を加算した周波数を取り出す。
【００３３】
加算器３３は、上記第三の混合回路３１および第四の混合回路３２の出力信号を合成する。
上記第四のバンドパスフィルタ３４は、加算器３３で合成された信号のうち、所定周波数幅のみを透過させる。
【００３４】
第五の混合回路３５は、第四のバンドパスフィルタ３４からの信号と、第一のローカル発振部６０からのローカル発振信号とをミックスアップする。
第五のバンドパスフィルタ３６は、第五の混合回路３５でミックスアップされた信号のうち、所定周波数幅のみを透過させる。
【００３５】
第二のアンプ３７は、第五のバンドパスフィルタ３６からの出力信号を増幅して、送受信切替スイッチ１３の送信側の切替接点に送出する。
【００３６】
また、第二のローカル発振部７０は、所定周波数ｆ２の信号を発生し、前記二つの混合回路３１，３２に送出する。
【００３７】
これに対して、第一のローカル発振部６０は、図２に示すように、通話チャンネル用の所定周波数ｆ１−１の信号を発生する第一の発振部６１，第一のアッテネータ６２，第一のバッファアンプ６３と、制御チャンネル用の所定周波数ｆ１−２の信号を発生する第二の発振部６４，第二のアッテネータ６５，第二のバッファアンプ６６と、第一のバッファアンプ６３および第二のバッファアンプ６６を切替える第一の切替スイッチ６７と、さらに第一の発振部６１を第一のアッテネータ６２または第一の切替スイッチ６７の下流側に切替える第二の切替スイッチ６８と、から構成されている。
【００３８】
上記第一のローカル発振部６０においては、各バッファアンプ６３，６６および第一の切替スイッチ６７は、制御信号ＬＯＳＷ１，ＬＯＳＷ２に基づいて、オンオフ制御または切替制御される。
また、第二の切替スイッチ６８は、制御信号ＬＯＳＷ３，ＬＯＳＷ４に基づいて、切替制御される。
【００３９】
上記第一および第二の発振部６１，６４は、種々のチャンネルの受信・送信を行なうことができるように、例えばＰＬＬ−ＩＣが使用されている。
上記アッテネータ６２，６５は、上記第一および第二の発振部６１，６４の出力負荷を一定にして、その周波数変動を抑制するために使用される。
【００４０】
これにより、第一の切替スイッチ６７の切替が行なわれたとき、第一および第二の発振部６１，６４は、アッテネータ６２，６５を介してバッファアンプ６３，６６に接続されていることにより、無負荷からいきなり最大負荷が加わるようなことがない。したがって、第一および第二の発振部６１，６４の周波数変動が低減される。
尚、上記アッテネータ６２，６５の代わりに、第一および第二の発振部６１，６４の出力負荷を一定にするものであれば、例えばアイソレータ等が備えられていてもよい。
【００４１】
また、第一の切替スイッチ６７の切替が行なわれたとき、第一の発振部６１は、アッテネータ６２，バッファアンプ６３を介して出力され、あるいは直接に出力される。
【００４２】
上記変復調部４０は、受信部２０からの信号をデータ復調して制御部５０に送出すると共に、制御部５０からの信号をデータ変調して、送信部３０に送出する。
上記制御部５０は、変復調部４０でデータ復調された信号から、音声を復元すると共に、送信すべき音声を音声信号に変換して、変復調部４０に送出する。
【００４３】
そして、図２に示すように、ローカル制御信号ＬＯＳＷ１またはＬＯＳＷ２により、第一の切替スイッチ６７の切替とバッファアンプ６３，６６のオンオフが制御される。例えば、ローカル制御信号ＬＯＳＷ１がＨレベル，ＬＯＳＷ２がＬレベルならば、バッファアンプ６３がオン，バッファアンプ６６がオフ，切替スイッチ６７がバッファアンプ６３側に切り替えられる。
また、ローカル制御信号ＬＯＳＷ１がＬレベル，ＬＯＳＷ２がＨレベルならば、バッファアンプ６３がオフ，バッファアンプ６６がオン，切替スイッチ６７がバッファアンプ６６側に切り替えられる。
【００４４】
尚、ローカル制御信号ＬＯＳＷ１がＨレベル，ＬＯＳＷ２がＨレベルは、論理上ありえず、またローカル制御信号ＬＯＳＷ１がＬレベル，ＬＯＳＷ２がＬレベルならば、双方のバッファアンプ６３，６６がオフとなり、第一のローカル発振部６０は動作しない。
このようにして、切替スイッチ６７によってローカル切替を行なうことにより、上記受信スロットのうち、ＲＸ１においては、通話チャンネルが使用され、ＲＸ２〜ＲＸ３においては、制御チャンネルが使用される。
【００４５】
また、図２に示すように、ローカル制御信号ＬＯＳＷ３またはＬＯＳＷ４により、第二の切替スイッチ６８の切替が制御される。例えば、ローカル制御信号ＬＯＳＷ３がＨレベル，ＬＯＳＷ４がＬレベルならば、第二の切替スイッチ６８がＢ側に、またローカル制御信号ＬＯＳＷ３がＬレベル，ＬＯＳＷ４がＨレベルならば、第二の切替スイッチ６８がＡ側に切替られる。
このようにして、第二の切替スイッチ６８の切替制御を行なうことにより、上記第一の発振部６１からの周波数ｆ１−１の信号が、アッテネータ６２，バッファアンプ６３を介して、あるいは直接に、第一のローカル発振信号として出力される。
【００４６】
尚、上記第一の発振部６１，第二の発振部６４は、それぞれ周波数が安定するまで数百μ秒程度の時間がかかるので、好ましくは送信または受信したいスロットの１スロット（すなわち５ｍ秒／８＝６２５μ秒）前から発振開始することにより、発振周波数が安定した状態で、送信または受信を開始するように、駆動制御される。
これにより、高速ヘッドオーバー式ＰＨＳ端末１０においては、通話中に、周辺ＣＳ検索を行なうことができる。
【００４７】
次に、本実施形態によるＰＨＳ端末１０の動作について説明する。
まず、ＰＨＳ端末１０の通常通話時の動作について、図３により説明する。
ＰＨＳ端末１０の全体動作は、送信スロットＴＸ１および受信スロットＲＸ１にて、それぞれ通話チャンネル５０ｃｈで送信および受信を行なう。
送信の場合には、送信すべきデータが制御部５０から変復調部４０に入力され、変復調部４０にてデータ変調される。そして、データ変調されたＩ信号およびＱ信号が、それぞれ混合回路３１，３２に入力される。
【００４８】
ここで、第三の混合回路３１では、変復調部４０からのＩ信号に対して、第二のローカル発振部７０からのローカル発振信号がミックスアップされ、また第四の混合回路３２では、変復調部４０からのＱ信号に対して、第二のローカル発振部７０からのローカル発振信号がミックスアップされる。
そして、各混合回路３１，３２でミックスアップされた信号が、加算器３３で合成されることにより、第二のローカル発振部７０からの信号の周波数ｆ２で変調されることになる。
【００４９】
次に、加算器３３からの信号は、第四のバンドパスフィルタ３４で余分な周波数成分が取除かれ、第五の混合回路３５で、第一のローカル発振部６０からのローカル発振信号（周波数ｆ１−１）とミックスアップされ、さらに第五のバンドパスフィルタ３６で余分な周波数成分が取除かれて、第二のアンプ３７に入力される。
そして、第二のアンプ３７で増幅された信号は、送受信切替スイッチ１３および第一のバンドパスフィルタ１２を介してアンテナ１１から基地局に対して送信される。
【００５０】
また、受信の場合には、アンテナ１１で受信した電波は、第一のバンドパスフィルタ１２で余分な周波数成分が取除かれ、送受信切替スイッチ１３を介して、受信部２０に入力される。
そして、受信部２０に入力された信号は、第一のアンプ２１で増幅され、第一の混合回路２２で、第一のローカル発振部６０からのローカル発振信号（周波数ｆ１−１）とミックスダウンされ、さらに第二のバンドパスフィルタ２３で余分な周波数成分が取除かれ、第二の混合回路２４に入力される。
次に、第二の混合回路２４に入力された信号は、第二のローカル発振部７０からのローカル発振信号（周波数ｆ２）とミックスダウンされ、さらに第三のバンドパスフィルタ２５で余分な周波数成分が取除かれて、変復調部４０に入力される。
変復調部４０に入力された信号は、データ復調されて、制御部５０にて音声として復元される。
【００５１】
ここで、通常動作時には、図３にて符号Ｙで示すように、連続的にローカル制御信号ＬＯＳＷ３がＨレベルとなり、第二の切替スイッチ６８がＢ側に切り替えられるので、第一の発振部６１からの周波数ｆ１−１の信号が第一の混合回路２２および第五の混合回路３５に出力される。
その際、第一の発振部６１は、安定化のため、１スロット分前から動作開始し、すなわち送信時には、受信スロットＲＸ４と送信スロットＴＸ１で動作し、また受信時には、送信スロットＴＸ４と受信スロットＲＸ１で動作することにより、ローカル周波数ｆ１−１が安定した状態で、送信または受信を行なうことができる。
【００５２】
また、第一の発振部６１からのローカル発振信号は、第一のアッテネータ６２，第一のバッファアンプ６３を介さずに、直接に第一の混合回路２２および第五の混合回路３５に出力される。
したがって、通常通話時には、バッファアンプ６３を動作させる必要がないので、ローカル制御信号ＬＯＳＷ１は、Ｌレベルのまま保持され、バッファアンプ６３の分だけ消費電流を低減させることができる。
【００５３】
これに対して、従来のＰＨＳ端末の場合には、図３にて、符号Ｘで示すように、第一の発振部１０２からのローカル発振信号は、アッテネータ１０３およびバッファアンプ１０４を介して出力されることになるので、バッファアンプ１０４の動作により電流が消費されることになる。
尚、この場合、第一の混合回路２２および第五の混合回路３５の負荷は、その電源オンオフで多少変動するが、混合回路２２，３５の電源は、受信スロットまたは送信スロットの十分前にオンされるので、負荷変動が混合回路２２，３５の動作に影響を与えることはない。さらに、第一および第二の切替スイッチ６７，６８には、電流は流れてない。
【００５４】
これに対して、ＰＨＳ端末１０は、受信スロットＲＸ１において弱電界になると、図６に示した従来のＰＨＳ端末の場合と同様に、高速ハンドオーバー動作を行なう。
ＰＨＳ端末１０の全体動作は、送信スロットＴＸ１および受信スロットＲＸ１にて、それぞれ通話チャンネル５０ｃｈで送信および受信を行なうと共に、受信スロットＲＸ２〜ＲＸ４にて、制御チャンネル７０ｃｈで、周辺ＣＳ検索を行なう。
この場合、制御信号ＬＯＳＷ１は、通常通話時と同じであり、第一の発振部６１も同様に１スロット分前から動作開始して、第一のローカル発振部６０は、送信スロットＴＸ１および受信スロットＲＸ１にて、ローカル周波数ｆ１−１の信号を出力する。
【００５５】
さらに、この場合、制御信号ＬＯＳＷ２は、受信スロットＲＸ２〜ＲＸ４にて、Ｈレベルとなって、第二の発振部６４からの周波数ｆ１−２の信号が、第一の混合回路２２および第五の混合回路３５に出力される。
その際、第二の発振部６４は、安定化のため、１スロット分前から動作開始し、すなわち受信スロットＲＸ１〜ＲＸ４で動作することにより、ローカル周波数ｆ１−２が安定した状態で、送信または受信を行なうことができる。
【００５６】
また、第一の発振部６１，第二の発振部６４により、それぞれ周波数ｆ１−１，ｆ１−２の信号を出力するように構成することによって、周波数の安定した状態で各信号を出力することができる。
さらに、高速ハンドオーバー動作時には、第一の発振部６１，第二の発振部６４からのローカル発振信号は、それぞれアッテネータ６２，６５およびバッファアンプ６３，６６を介して、出力されることにより、周波数変動が抑制され、安定した周波数の信号を出力することができる。
【００５７】
このようにして、本実施形態においては、高速ハンドオーバー処理機能を搭載したＰＨＳ端末において、高速ハンドオーバー動作時以外の通常通話時には、第一のローカル発振部６０における通話チャンネル用の周波数ｆ１−１の信号を出力する第一の発振部６１からのローカル発振信号が、アッテネータ６２およびバッファアンプ６３を介さずに、直接に混合回路２２，３５に出力されるので、バッファアンプ６３を動作させる必要がない。
【００５８】
したがって、本実施形態によるＰＨＳ端末１０は、高速ハンドオーバー処理機能を備えないＰＨＳ端末の通常通話時とほぼ同じ消費電力で動作することができると共に、高速ハンドオーバー動作時には、各発振部６１，６４からのローカル発振信号が、それぞれアッテネータ６２，６５およびバッファアンプ６３，６６を介して混合回路２２，３５に出力されるので、第一の切替スイッチ６７による切替制御時にも、アッテネータ６２，６５により出力負荷が一定に保持されることにより、周波数の安定した信号を出力することができる。
【００５９】
上述した実施形態においては、ＰＨＳ端末１０による通話の場合について説明したが、これに限らず、データ通信の場合についても同様の効果を得ることができる。
【００６０】
【発明の効果】
以上のように、本発明によれば、高速ハンドオーバー式ＰＨＳ端末において、高速ハンドオーバー動作時には、従来の高速ハンドオーバー式ＰＨＳ端末と同様に作用すると共に、高速ハンドオーバー動作時以外の通常通信時には、第一の発振部からの第一の信号が、バッファアンプを使用することなく、直接に受信部および送信部に対して出力されるので、バッファアンプの消費電流を低減することができ、ＰＨＳ端末の低消費電力化を実現することができる。
【図面の簡単な説明】
【図１】  本発明のＰＨＳ端末の一実施形態の構成を示すブロック図である。
【図２】  図１のＰＨＳ端末における第一のローカル発振部のブロック図である。
【図３】  図１のＰＨＳ端末および従来のＰＨＳ端末における高速ハンドオーバー動作時の動作を示すタイムチャートである。
【図４】  ＰＨＳ端末の基本動作を示すタイムチャートである。
【図５】  従来のＰＨＳ端末におけるローカル発振部の構成例を示すブロック図である。
【図６】  図５のＰＨＳ端末の通常通話時および高速ハンドオーバー動作時の動作を示すタイムチャートである。
【符号の説明】
１０  ＰＨＳ端末
１１  アンテナ
１２  第一のバンドパスフィルタ
１３  送受信切替スイッチ
２０  受信部
２１  第一のアンプ
２２  第一の混合回路
２３  第二のバンドパスフィルタ
２４  第二の混合回路
２５  第三のバンドパスフィルタ
３０  送信部
３１  第三の混合回路
３２  第四の混合回路
３３  加算器
３４  第四のバンドパスフィルタ
３５  第五の混合回路
３６  第五のバンドパスフィルタ
４０  変復調部
５０  制御部
６０  第一のローカル発振部
６１  第一の発振部
６２  第一のアッテネータ
６３  第一のバッファアンプ
６４  第二の発振部
６５  第二のアッテネータ
６６  第二のバッファアンプ
６７  第一の切替スイッチ
６８  第二の切替スイッチ
７０  第二のローカル発振部
【図１】
0003834196.tif 000002
【図２】
0003834196.tif 000003
【図３】
0003834196.tif 000004
【図４】
0003834196.tif 000005
【図５】
0003834196.tif 000006
【図６】
0003834196.tif 000007